(57)【要約】      （修正有）【課題】コマ玩具の回転方向が左右いずれの方向であってもワイヤを引き操作するという同じ操作でコマ玩具に異なる方向の回転を付与することができるコマ玩具発射装置を提供する。【解決手段】装置本体はワイヤ７が巻きつけ可能に形成された第１の歯車３と、第１の歯車３に噛合する第２の歯車４と、第２の歯車４に連動して回転するコマ玩具保持体とを備える。ワイヤ７の一端は第１の歯車３に取り付けられ、他端を装置本体の外側から引き操作可能にする。コマ玩具保持体は第２の歯車の下方と上方とに配置した第１のコマ玩具保持体５と第２のコマ玩具保持体６とで構成し、各コマ玩具保持体５、６にはコマ玩具を保持する保持部２３、２４を設け、保持部２３、２４を装置本体の互いに相反する面から突出させた。【選択図】図２
0003160157.tif 000002
【実用新案登録請求の範囲】
【請求項１】
コマ玩具に回転を付与して発射する、以下の要件を備えることを特徴とするコマ玩具発射装置。
（イ）装置本体はワイヤが巻きつけ可能に形成された第１の歯車と、該第１の歯車に噛合する第２の歯車と、該第２の歯車に連動して回転するコマ玩具保持体とを備えたこと
（ロ）上記ワイヤの一端は上記第１の歯車に取り付けられ、他端は装置本体の外側に突出させ外部から引き操作可能にしたこと
（ハ）上記コマ玩具保持体は上記第２の歯車の一方の回転方向に対応してコマ玩具を時計方向に回転させる第１のコマ玩具保持体と、他方の回転方向に対応してコマ玩具を反時計方向に回転させる第２のコマ玩具保持体とから構成され、該第１のコマ玩具保持体と第２のコマ玩具保持体には夫々コマ玩具を保持する保持部を設けたこと
（二）上記第１のコマ玩具保持体と第２のコマ玩具保持体との保持部は上記装置本体の互いに相反する面から外方に突出させたこと
【請求項２】
前記装置本体は、前記第１の保持体側の本体意匠と前記第２の保持体側の本体意匠とが略同じである、請求項１記載のコマ玩具発射装置。
【請求項３】
以下の要件を備えることを特徴とする、請求項１又は２記載のコマ玩具発射装置。
（イ）前記装置本体の上下面には、前記コマ玩具保持体の保持部を覆うキャップ部材を装着する装着部をそれぞれ設けたこと
（ロ）前記装置本体には前記第２の歯車の回転を阻止するラチェットを配置し、上記キャップ部材を装着部に装着したときには上記ラチェットによる第２の歯車の回転阻止が解除されること
【請求項４】
前記装置本体には前記第１の歯車を前記ワイヤを巻き取る方向に付勢する付勢部材を配置した、請求項１、２又は３記載のコマ玩具発射装置
【請求項５】
前記装置本体には前記第２の歯車とコマ玩具保持体との間にクラッチを配置した、請求項１、２、３又は４記載のコマ玩具発射装置。
【考案の詳細な説明】
【技術分野】
【０００１】
本考案は、コマ玩具に回転を付与して発射するコマ玩具発射装置、詳しくはコマ玩具の回転方向を左右いずれの方向でも発射することができるコマ玩具発射装置に関するものである。
【背景技術】
【０００２】
従来、１つのコマ玩具発射装置で、コマ玩具の回転方向が左右いずれの方向であっても自由に選択して発射することができるコマ玩具発射装置が提案されている（特許文献１）。このコマ玩具発射装置は、装置本体の内部に回転体と回転体に作動連結するピニオンギアとを設け、回転体の下部には装置本体の下方に突出するコマ玩具用取付部材を形成し、上記装置本体には、ラックベルトを挿脱する２つの挿通路が上記ピニオンギアを挟んでその両側に平行に形成されているもので、上記ラックベルトを上記挿通路の何れかに挿入したときに上記ピニオンギアに噛合するように形成され、ラックベルトを２つの挿通路のどちらに差し込むかによって、コマの回転方向を選択することができるようにしたものである。
【０００３】
また、一々ラックベルトを挿入しなくてもコマ玩具を発射することができるコマ玩具発射装置も提案されている（特許文献２）。このコマ玩具発射装置は、ワイヤを巻きつけた第１の歯車に第２の歯車を噛み合せ、第２の歯車に連動して回転するコマ玩具保持体を備えたもので、ワイヤの一端を第１の歯車に取り付け、他端を装置本体の外側に突出させて外部から引き操作すると、第１の歯車、第２の歯車を介してコマ玩具保持体を回転させ、このコマ玩具保持体に保持されたコマ玩具に回転を付与することができるようにしたものである。
【先行技術文献】
【特許文献】
【０００４】
【特許文献１】実用新案登録第３０９８４４９号公報
【特許文献２】実用新案登録第３１４２４７５号公報
【考案の概要】
【考案が解決しようとする課題】
【０００５】
本考案が解決しようとする問題点は、前者のコマ玩具発射装置ではコマの回転方向を選択する際、発射装置の挿通路のどちらにラックベルトを差し込むかで選択することはできるが、対戦相手にはラックベルトをどちらの挿通路に差し込むかによってコマ玩具の回転方向が左右何れかを判断されてしまう恐れがあった。また、後者のコマ玩具発射装置は一々ラックベルトを差し込まなくてもワイヤの引き操作でコマ玩具を発射することはできるが、コマ玩具を一方向にしか回せない問題があった。
【０００６】
本考案は、上記問題点を解決し、コマ玩具を発射する際に、コマ玩具の回転方向を左右何れの方向にするかによってラックベルトを差し込む挿通穴を選択する必要はなく、コマ玩具の回転方向が左右いずれの方向であってもワイヤを引き操作するという同じ操作でコマ玩具に異なる方向の回転を付与することができるコマ玩具発射装置を提供することを課題とする。
【課題を解決するための手段】
【０００７】
前記課題を解決するために本考案に係るコマ玩具発射装置は、コマ玩具に回転を付与して発射する、以下の要件を備えることを特徴とする。
（イ）装置本体はワイヤが巻きつけ可能に形成された第１の歯車と、該第１の歯車に噛合する第２の歯車と、該第２の歯車に連動して回転するコマ玩具保持体とを備えたこと
（ロ）上記ワイヤの一端は上記第１の歯車に取り付けられ、他端は装置本体の外側に突出させ外部から引き操作可能にしたこと
（ハ）上記コマ玩具保持体は上記第２の歯車の一方の回転方向に対応してコマ玩具を時計方向に回転させる第１のコマ玩具保持体と、他方の回転方向に対応してコマ玩具を反時計方向に回転させる第２のコマ玩具保持体とから構成され、該第１のコマ玩具保持体と第２のコマ玩具保持体には夫々コマ玩具を保持する保持部を設けたこと
（二）上記第１のコマ玩具保持体と第２のコマ玩具保持体との保持部は上記装置本体の互いに相反する面から外方に突出させたこと
【０００８】
なお、前記装置本体は、前記第１のコマ玩具保持体を突出させる側の意匠と前記第２のコマ玩具保持体を突出させる側の意匠とが略同じに形成されていればよい。
【０００９】
また、前記コマ玩具発射装置は以下の要件を備えることが好ましい。
（イ）前記装置本体の上下面には、前記コマ玩具保持体の保持部を覆うキャップ部材を装着する装着部をそれぞれ設けたこと
（ロ）前記装置本体には前記第２の歯車の回転を阻止するラチェットを配置し、上記キャップ部材を装着部に装着したときには上記ラチェットによる第２の歯車の回転阻止が解除されること
【００１０】
そして、前記装置本体には前記第１の歯車には前記ワイヤを巻き取る方向に付勢する付勢部材を配置し、引き操作したワイヤが自動的に巻き戻るようにしてもよい。
【００１１】
さらに、前記装置本体には前記第２の歯車とコマ玩具保持体との間にクラッチを配置し、コマ玩具保持体に加えられた外力が第２の歯車に及ばないようにすることが好ましい。
【考案の効果】
【００１２】
請求項１の考案によれば、コマ玩具を第１のコマ玩具保持体に保持させるのか、第２のコマ玩具に保持させるのかを選択するだけで、コマ玩具の回転方向を選択することができるので、単にワイヤを引き操作する同じ操作でコマ玩具に異なる方向の回転を付与することができる。
【００１３】
請求項２の考案によれば、装置本体の第１のコマ玩具保持体を突出させる側の意匠と第２のコマ玩具保持体を突出させる側の意匠とを略同じに形成したので、装置本体のどちら側のコマ玩具保持体にコマ玩具を保持させたのかを装置本体の外観から判断される可能性が極めて少ないので対戦を有利に展開することができる。
【００１４】
請求項３の考案によれば、キャップ部材を取り付けることにより、コマ玩具を保持させていない方のコマ玩具保持体をむき出しにしないので回転時に保持部に接触して怪我をするようなトラブルを回避することができる。しかもキャップ部材を取り付けなければ第２の歯車は回転できず、この第２の歯車に噛みあう第１の歯車も回転できないのでワイヤを引き操作することができず安全性に優れたコマ玩具発射装置を実現することができる。
【００１５】
請求項４の考案によれば、第１の歯車にはワイヤを巻き取る方向に付勢する付勢部材を連係させたので、引き操作して引き出したワイヤは自動的に巻き戻るので一々手で巻き戻す煩わしさを回避することができる。
【００１６】
請求項５の考案によれば、コマ玩具をコマ玩具保持体に保持させる際に、コマ玩具保持体に無理な力が加えられてもその力はクラッチで逃げることができ、第２の歯車から先の機構に負荷が掛からないので障害が発生することを防止できる。
【図面の簡単な説明】
【００１７】
【図１】コマ玩具発射装置の構成を説明する斜視図
【図２】装置本体の内部構造を説明する分解斜視図
【図３】コマ玩具の一例を示す平面図
【図４】（ａ）（ｂ）（ｃ）は装置本体の側面図、底面図及び平面図
【図５】（ａ）（ｂ）（ｃ）は装置本体平面視におけるキャップを開口部に挿入した状態、装置本体平面視におけるキャップを装着しラチェットのロックを解除した状態でワイヤを引き操作した状態、装置本体底面視におけるキャップを装着しラチェットのロックを解除した状態でワイヤを引き操作した状態の歯車機構を説明する図
【図６】（ａ）（ｂ）は装置本体にキャップを装着する前と装着後の状態を説明する斜視図
【図７】ワイヤを引き操作してコマ玩具を発射した状態を説明する斜視図
【考案を実施するための形態】
【００１８】
図１は、本考案に係るコマ玩具発射装置Ａを示し、図２は内部の構造を説明する分解斜視図を示す。このコマ玩具発射装置Ａは装置本体１の前面に配置された取っ手２を引き操作することによりコマ玩具保持体５に保持させたコマ玩具Ｂを発射することができるようにしたものである。
【００１９】
装置本体１は、底面側のケース１ａと、平面側のケース１ｂとから平板な箱状に形成され、底面側の意匠と平面側の意匠とが略同じ意匠になるように形成されているもので、この装置本体１の内部には上記取っ手２の引き操作で回転する第１の歯車３と、この第1の歯車３に噛合し、第1の歯車に連動して回転する第２の歯車４とが配置され、この第２の歯車に連動して回転する第１のコマ玩具保持体５、第２のコマ玩具保持体６との２つのコマ玩具保持体を第２の歯車４に対して対称になるように配置されている。
【００２０】
上記第１の歯車３の上面にはワイヤ７の一端を固定するとともにワイヤ７を巻きつけるドラム８が一体に形成され、このドラム８の上には蓋体９が配置され、巻きつけたワイヤ７がドラム８から外れないようにしている。この蓋体９と第１の歯車３とはネジ１０でゼンマイケース１１と連結され、第１の歯車３とゼンマイケース１１とは支軸１２を中心に一体で回転できるようになっている。
【００２１】
ゼンマイケース１１は上ケース１１ａと下ケース１１ｂとで構成され、内部には付勢部材であるゼンマイ１３が収容され、ゼンマイ１３の巻き始め（始端）１３ａは支軸１２に形成されたスリット１５に取り付けられ、ゼンマイ１３の巻き終わり（終端）１３ｂは下ケース１１ｂのスリット１６に取り付けられている。なお、支軸１２の上部１２ａは角柱状に形成され、この上部１２ａは装置本体１に形成された軸支部（図示せず）に軸支され支軸１２は回転できないようになっている。
【００２２】
なお、ワイヤ７はゼンマイ１３が巻戻った状態で取っ手２が装置本体１の先端部に当接するようにドラム８に巻きつけられていればよい。
【００２３】
第２の歯車４は、第１の歯車３に噛み合うように装置本体１内に配置され、この第２の歯車４の回転軸１７の下端１７ａと上端１７ｂは角柱状に形成され、この下端１７ａと上端１７ｂとにはそれぞれクラッチ２０、２１の嵌合孔２０ａ、２１ａを嵌合させて回転軸１７とクラッチ２０、２１は一体構造となっている。
【００２４】
なお、上記第２の歯車４の近傍にはラチェット１８が配置され、このラチェット１８の爪１８ａは常に第２の歯車４に噛み合い、図２上で第２の歯車が一方向（時計方向）に回転しないようにロックしているが、後述するキャップ部材２５の係合板２６をラチェット１８のアーム１８ｂに係合させ、キャップ部材２５を回動すると爪１８ａは第２の歯車４から外れロックが解除されるようになっている。
【００２５】
そして、上記クラッチ２０を介して第１のコマ玩具保持体５に、クラッチ２１を介して第２のコマ玩具保持体６にそれぞれ第２の歯車４の回転が伝達されるようになっている。このクラッチ２０、２１はコマ玩具保持体５、６に外力が加わったとき、その外力で第1の歯車３、第２の歯車４他に障害が発生しないようにするためのものである。
【００２６】
第１のコマ玩具保持体５は上記第２の歯車４の下方に配置され、この第１のコマ玩具保持体５にはコマ玩具Ｂに形成された一対の円弧状の係合孔２２（図３参照）に係合する一対の保持部２３が装置本体１の底面側（ケース１ａ）から下方に突出して形成されている。この保持部２３は側面視略Ｌ字状に形成され、コマ玩具の係合孔２２を保持部２３に係合させて回せばＬ字の部分に係合してコマ玩具は保持部２３に保持されるようになっている。なお、保持部２３の後面２３ａは保持したコマ玩具Ｂが離脱しやすいように先端に向かって先窄まりに形成されている。
【００２７】
第２のコマ玩具保持体６は上記第２の歯車４の上方に配置され、この第２のコマ玩具保持体６にも第１のコマ玩具保持体５と同様に、コマ玩具Ｂに形成された一対の円弧状の係合孔２２に係合する一対の保持部２４が装置本体１の平面側（ケース１ｂ）から上方に突出して形成されている。この保持部２４は保持部２３と同様に側面視略Ｌ字状に形成され、コマ玩具の係合孔２２を保持部２４に係合させて回せばコマ玩具は保持部２４に保持されるようになっている。
【００２８】
なお、保持部２４の後面２４ａは保持部２３と同様に保持したコマ玩具Ｂが離脱しやすいように先端に向かって先窄まりに形成されている。
【００２９】
キャップ部材２５は、装置本体１から突出したコマ玩具保持体５、６の保持部２３、２４を覆うコップ状に形成されたもので、下端には下方に突出して係合板２６が形成され、この係合板２６の下部は外方に膨出して肉厚部２７が形成されている。
【００３０】
装置本体１の底面側のケース１ａと平面側のケース１ｂとには、図４（ａ）の側面図に示すように、コマ玩具保持体５、６の端面が露出するとともに保持部２３、２４をそれぞれ突出させる開口部２９（図４（ｂ）、（ｃ）参照）が形成され、この開口部２９の外側には上記キャップ部材２５を装着する装着部３０が形成されている。この装着部３０は、図４（ｂ）の底面図、図４（ｃ）の平面図に示すように、コマ玩具保持体５、６の中心を対象に一対の円弧状の開口部３１、３２で構成され、この開口部３１、３２の一部はコマ玩具保持体側に張り出して係合部３３、３４がそれぞれ形成されている。
【００３１】
上記キャップ部材２５の係合板２６を装置本体１の平面側ケース１ｂの装着部３０である開口部３２に差し込み、時計方向に回動させると、開口部３２の係合部３４に係合板２６の肉厚部２７が係合するのでキャップ部材２５を装置本体１に固定することができるようになっている。この時、キャップ部材２５は保持部２４を覆う状態になる。
【００３２】
そして、上記開口部３２には第２の歯車４に噛み合っているラチェット１８のアーム１８ｂが対応し(図４（ｃ）参照)、図５（ａ）に示すようにラチェット１８の爪１８ａが第２の歯車４に噛み合っているので、キャップ部材２５の係合板２６をアーム１８ｂに係合させ、キャップ部材２５を時計方向に回動すると、図５（ｂ）に示すように、第２の歯車４に噛み込んでいるラチェット１８の爪１８ａを逃がすことができるので、第２の歯車４の回転を許容し、第２の歯車４に噛合している第１の歯車３の回転も許容することになるので、取っ手２を引き操作してワイヤ７を引き出せば、ワイヤ７を巻回しているドラム８を回転させることができ、ドラム８と一体の第１の歯車３を回転させることができ、第１の歯車３に噛合している第２の歯車４を回転させることができるようになっている。
【００３３】
なお、装置本体を裏返して上記キャップ部材２５を装置本体１の底面側ケース１ａの装着部３０である開口部３１に取り付ける場合も、上記と同様なので説明は省略する。
【００３４】
次に、上記コマ玩具発射装置Ａの使用態様について説明する。先ず、コマ玩具を時計方向に回転させるか、反時計方向に回転させるかを決め、コマ玩具を時計方向に回転させる場合は、図６（ａ）に示すように、コマ玩具保持体５が下に、コマ玩具保持体６が上に位置するように装置本体１の向きを設定し、この装置本体１の開口部３２にキャップ部材２５の係合板２６を挿入し、時計方向に回動すると肉厚部２７が係合部３３に係合し、キャップ部材２５を装置本体に固定することができる。この状態では、上述したように係合板２６がラチェット１８のアーム１８ｂに係合し、これを押し退けるとラチェット１８は外方に回動し、爪１８ａが第２の歯車４から外れ、第２の歯車４の回転を可能にする（図５（ｂ）参照）。
【００３５】
キャップ部材２５を装置本体１に固定したらコマ玩具Ｂの係合孔２２にコマ玩具保持体５の保持部２３に差し込み、保持部２３から離脱しないように底面側から見て時計方向に回して保持部２３に保持させてコマ玩具Ｂをコマ玩具発射装置Ａに取り付ける（図６（ｂ）参照）。
【００３６】
コマ玩具Ｂを必要以上に回してコマ玩具保持体５が強制的に逆転されてもコマ玩具保持体５と第２の歯車４とはクラッチ２０を介して連結されているので第２の歯車４、第１の歯車３には強い力は加わることはない。
【００３７】
コマ玩具Ｂをコマ玩具保持体５に保持させたら一方の手で装置本体１を保持し、他方の手で取っ手２を掴んで勢いよく引き操作する。取っ手２にはワイヤ７が連結されているのでワイヤ７が引っ張られることにより、図５（ｂ）に示すように、第１の歯車３は反時計方向（矢印ａ方向）に強制的に回転させられる。このとき、ゼンマイケース１１も一体で回転するが、ゼンマイバネの始端１３ａは支軸１２に形成されたスリット１５に取り付けられているためゼンマイバネ１３の終端１３ｂがゼンマイケース１１とともに回転するのでゼンマイバネは支軸１２に巻き付くように巻き上げられる。
【００３８】
第１の歯車３が反時計方向に回転すると、この第１の歯車３に噛み合っている第２の歯車４は時計方向（矢印ｂ方向）に回転させられ、コマ玩具保持体５に保持されているコマ玩具Ｂも時計方向に回転させられる。
【００３９】
取っ手２の引き操作をやめると、第１の歯車３の回転が止まり、第２の歯車４も停止するが、ゼンマイ１３の巻戻り力で、第１の歯車３は逆方向に回転する方向に付勢され急激に停止することになり、第２の歯車４と一体のコマ玩具保持体５も急激に停止することになる。
【００４０】
コマ玩具保持体５が停止してもコマ玩具Ｂは慣性で回転しているため、保持部２２から回転しながら離脱することになり、図７に示すように、コマ玩具Ｂは時計方向に回転が付与された状態でコマ玩具発射装置Ａから発射されることになる。
【００４１】
一方、装置本体１を底面側ケース１ａが上になるように反転して、コマ玩具保持体６が下に、コマ玩具保持体５が上に位置するようにした場合は、上述のコマ玩具保持体６にキャップ部材２５を被せると同様の操作で、コマ玩具保持体５を覆うようにキャップ部材２５を装置本体１に固定し、コマ玩具保持体６の保持部２４にコマ玩具を保持させればよい。
【００４２】
この状態では、図５（ｃ）に示すように、ワイヤ７はドラム８に時計方向に巻かれた状態になっているので、一方の手で装置本体１を保持し、他方の手で取っ手２を掴んで勢いよく引き操作する。ワイヤ７が引っ張られることにより、図５（ｃ）に示すように、第１の歯車３は時計方向（矢印ａ´方向）に強制的に回転させられる。
【００４３】
第１の歯車３が時計方向に回転すると、この第１の歯車３に噛み合っている第２の歯車４は反時計方向（矢印ｂ´方向）に回転させられ、コマ玩具保持体６に保持されているコマ玩具Ｂも反時計方向に回転させられることになる。
【００４４】
取っ手２の引き操作をやめると、第１の歯車３の回転が止まり、第２の歯車４も停止するが、ゼンマイ１３の巻戻り力で、第１の歯車３は逆方向に回転する方向に付勢され急激に停止することになり、第２の歯車４と一体のコマ玩具保持体６も急激に停止することになる。
【００４５】
コマ玩具保持体６が停止してもコマ玩具Ｂは慣性で回転しているため、保持部２２から回転しながら離脱することになり、コマ玩具は反時計方向に回転が付与された状態でコマ玩具発射装置Ａから発射されることになる。
【００４６】
上述したように、コマ玩具Ｂを装置本体１に装着し、取っ手２を引いてワイヤ７を引っ張るだけでコマ玩具Ｂを発射することができ、しかも装置本体１のどちらの面にコマ玩具を装着するかでコマ玩具の回転方向を時計方向に回転させるか、反時計方向に回転させるかを自由に選択することができ、一々ラックベルトを装置本体に差し込み、差し込んだラックベルトを引き抜く従来のコマ玩具発射装置のような操作をする必要がなく、簡単にコマ玩具Ｂを発射することができるコマ玩具発射装置Ａを実現することができる。
【００４７】
しかも、キャップ部材２５を取り付けなければワイヤ７を引くことができないので、コマ玩具Ｂを保持する保持部２３、２４の使用しない方はむき出しの状態では回転させることはできないので、安全性に優れたコマ玩具発射装置を提供することができる。
【００４８】
なお、上記キャップ２５を装置本体１に装着しない状態ではラチェット２８は第２の歯車４に噛み合って第２の歯車４の時計方向の回転をロックしてワイヤ７の引き操作ができないようにし、装着するとロックを解除してワイヤ７の引き操作ができるようになることは説明したが、ワイヤ７を引き操作した状態でキャップ２５を装置本体１から外すとラチェット２８が第２の歯車４に噛み合って第２の歯車４をロックすることになるが、このラチェット２８はあくまでワイヤ７を引き出す方向への第２の歯車４の回転をロックするものなので第２の歯車４に噛みあう第１の歯車３はゼンマイ１３の巻き戻り力で動き出してワイヤ７を巻き上げることができ、コマ玩具発射装置Ａを自動的に初期状態に戻すことができる。
【符号の説明】
【００４９】
１    装置本体
２    取っ手
３    第１の歯車
４    第２の歯車
５    第１のコマ玩具保持体
６    第２のコマ玩具保持体
７    ワイヤ
８    ドラム
１３    付勢部材（ゼンマイ）
２０    クラッチ
２１    クラッチ
２３    保持部
２４    保持部
２５    キャップ部材
２８    ラチェット
３０    装着部
【図１】
0003160157.tif 000003
【図２】
0003160157.tif 000004
【図３】
0003160157.tif 000005
【図４】
0003160157.tif 000006
【図５】
0003160157.tif 000007
【図６】
0003160157.tif 000008
【図７】
0003160157.tif 000009
【手続補正書】
【提出日】平成22年4月2日(2010.4.2)
【手続補正１】
【補正対象書類名】実用新案登録請求の範囲
【補正対象項目名】請求項２
【補正方法】変更
【補正の内容】
【請求項２】
前記装置本体は、前記第１のコマ玩具保持体側の本体意匠と前記第２のコマ玩具保持体側の本体意匠とが略同じである、請求項１記載のコマ玩具発射装置。